(57)【要約】【課題】顕微鏡標本の取り違えを防止し検査の信頼性を高めるためのパラフィンブロック作成用トレイ及び該トレイを用いたパラフィンブロックの作成方法を提供する。【解決手段】容器からなるパラフィン収容部２と、その周縁に設けられたカセット載置部３とからなり、検体をパラフィンで包埋したパラフィンブロックを作成するためのトレイ１であって、前記トレイ１のパラフィン収容部２に、識別可能な断面形状を有する柱状体５を立設したことを特徴とするパラフィンブロック用作成用トレイ該トレイを用いたパラフィンブロックの作成方法である。【選択図】図１
2015127698.tif 000002
【特許請求の範囲】
【請求項１】
容器からなるパラフィン収容部と、その周縁に設けられたカセット載置部とからなり、検体をパラフィンで包埋したパラフィンブロックを作成するためのトレイであって、
前記トレイのパラフィン収容部に、識別可能な断面形状を有する柱状体を立設したことを特徴とするパラフィンブロック用作成用トレイ。
【請求項２】
柱状体がトレイに着脱自在に取り付けられていることを特徴とする請求項１記載のパラフィンブロック用作成用トレイ。
【請求項３】
柱状体がトレイに一体的に取り付けられていることを特徴とする請求項１又は２記載のパラフィンブロック用作成用トレイ。
【請求項４】
識別可能な断面形状が、文字、数字、記号、模様から選ばれることを特徴とする請求項１〜３のいずれか１項に記載のパラフィンブロック用作成用トレイ。
【請求項５】
柱状体がトレイの底面に向かって拡大するテーパー状であることを特徴とする請求項１〜４のいずれか１項に記載のパラフィンブロック用作成用トレイ。
【請求項６】
トレイの上縁部が斜め又は垂直方向に立設されていることを特徴とする請求項１〜５のいずれか１項に記載のパラフィンブロック用作成用トレイ。
【請求項７】
請求項１〜７のいずれか１項に記載のパラフィンブロック作成用トレイを用いて検体をパラフィンで包埋するパラフィンブロックの作成方法であって、
パラフィンブロックからパラフィンブロック作成用トレイを取り外して柱状体の抜け跡を形成することを特徴とするパラフィンブロックの作成方法。
【請求項８】
抜け跡にパラフィンブロックのパラフィンと識別可能な充填物を充填させることを特徴とする請求項７に記載のパラフィンブロックの作成方法。
【請求項９】
充填物が着色した液状パラフィンィンであることを特徴とする請求項８に記載のパラフィンブロックの作成方法。
【請求項１０】
着色した液状パラフィンの融点が、パラフィンブロックのパラフィンの融点よりも低いことを特徴とする請求項９に記載のパラフィンブロックの作成方法。
【発明の詳細な説明】
【技術分野】
【０００１】
本発明は、パラフィンブロック作成用トレイ及び該トレイを用いたパラフィンブロックの作成方法に関し、更に詳しくは、顕微鏡標本の取り違えを防止して検査の信頼性を高めるためのパラフィンブロック作成用トレイ及び該トレイを用いたパラフィンブロックの作成方法に関する。
【背景技術】
【０００２】
従来のこの種の顕微鏡標本の作成に用いられる医療検査用カセット（以下、単にカセットと称することがある）は、図１２および図１３に示すように、耐薬品性合成樹脂からなるカセット本体Ｃ１と蓋体Ｃ２とを具備してなる。カセット本体Ｃ１は、上面を開放した方形の容器で、底面部に多数の透孔Ｃ３を有し、短辺側の一側壁の外側に底面部に向かって末広がり状に傾斜した板状の記録部Ｃ１ａを設けている。蓋体Ｃ２は、着脱可能な板状体で、板面に多数の透孔Ｃ３を有している。
【０００３】
上記カセットＣを使用して顕微鏡標本を作製するには、まず、図１３に示すように、採取した検体Ｓをカセット本体Ｃ１内に収容して蓋体Ｃ２を取り付け、記録部Ｃ１ａに被検者を特定するための氏名や記号等を記録しておく。
【０００４】
続いて、蓋体Ｃ２の透孔Ｃ３を通じて、検体Ｓを水洗し、アルコールにより検体Ｓの水分を除去し、キシレンにより検体Ｓの脂肪分を除去するとともに後述する液状パラフィンとの親和性を付与する。
【０００５】
次に、図１４に示すようなステンレス製のトレイＴ内に液状パラフィンＰを入れ、検体Ｓをカセット本体Ｃ１から取り出して前記トレイＴの中に移し替え、トレイＴの中で検体Ｓに液状パラフィンを浸透させ検体Ｓを仮固定する。続いて、図１５に示すように、トレイＴのカセット載置部Ｔ２にカセット本体Ｃ１を載せ、更に、カセット本体Ｃ１が液状パラフィンＰに浸るまで、更に液状パラフィンＰを検体Ｓ上に注ぎ足す。
【０００６】
次いで、図１６に示すように、液状パラフィンＰが固化した後トレイＴを取り去ることにより、検体Ｓを包埋したパラフィンＰがカセット本体Ｃ１の底面部に付着してなるパラフィンブロックＢを得る。
【０００７】
次に、図示しないが、ミクロトーム上にパラフィンブロックＢを裏返して載せて、ミクロトームに設置されたアダプターをパラフィンブロックＢに係合することにより、パラフィンブロックＢをミクロトームに固定する。続いて、パラフィンＰの検体Ｓを包埋した部分をスライスし、得られた薄片に染色、その他の所定の処理を施すことにより、図１７に示すような顕微鏡標本Ｈを得る。
【０００８】
ところで、上記のように、カセット本体Ｃ１の記録部Ｃ１ａには、被検者の氏名や記号等を記録されているが、得られた標本Ｈはカセット本体Ｃ１とは完全に分離されるため、しばしば、被検者を取り違えるといった深刻なトラブルが発生する。
【０００９】
このようなトラブルを解消するために、カセットの蓋の表面に番号、アルファベット等の識別表示を突設したカセットが提案されている（例えば、特許文献１参照）。
しかしながら、この蓋も標本とは完全に分離されるため、検体を取り違えるといったトラブルは解消されない。
【００１０】
本発明はかかる実情に鑑み、従来の顕微鏡標本作成における上記課題を解消するためのパラフィンブロック作成用トレイを提供するものである。
【先行技術文献】
【特許文献】
【００１１】
【特許文献１】特許第４４０２２６５号公報
【発明の概要】
【発明が解決しようとする課題】
【００１２】
本発明者は上記従来技術の課題を解消せんとして鋭意検討の結果、標本自体に識別表示を設ければ、標本（検体）と識別表示とは不離一体となり、取り違えのトラブルが根絶されることを知見し、本発明を完成するに至ったものである。
【課題を解決するための手段】
【００１３】
即ち、本発明の特徴は、容器からなるパラフィン収容部と、その周縁に設けられたカセット載置部とからなり、検体をパラフィンで包埋したパラフィンブロックを作成するためのトレイであって、前記トレイのパラフィン収容部に、識別可能な断面形状を有する柱状体を立設したことを特徴とするパラフィンブロック用作成用トレイである。
【００１４】
本発明の他の特徴は、柱状体がトレイに着脱自在に取り付けられていることを特徴とするパラフィンブロック用作成用トレイである。
【００１５】
本発明の他の特徴は、柱状体がトレイに一体的に取り付けられていることを特徴とするパラフィンブロック用作成用トレイである。
【００１６】
本発明の他の特徴は、識別可能な断面形状が、文字、数字、記号、模様から選ばれることを特徴とするパラフィンブロック用作成用トレイである。
【００１７】
本発明の他の特徴は、柱状体がトレイの底面に向かって拡大するテーパー状であることを特徴とするパラフィンブロック用作成用トレイである。
【００１８】
本発明の他の特徴は、トレイの上縁部が斜め又は垂直方向に立設されていることを特徴とするパラフィンブロック用作成用トレイである。
【００１９】
本発明の他の特徴は、上記のパラフィンブロック作成用トレイを用いて検体をパラフィンで包埋するパラフィンブロックの作成方法であって、パラフィンブロックからパラフィンブロック作成用トレイを取り外して柱状体の抜け跡を形成するパラフィンブロックの作成方法である。
【００２０】
本発明の他の特徴は、抜け跡にパラフィンブロックのパラフィンと識別可能な充填物を充填させるパラフィンブロックの作成方法である。
【００２１】
本発明の他の特徴は、充填物が着色した液状パラフィンィンであるパラフィンブロックの作成方法である。
【００２２】
本発明の他の特徴は、着色した液状パラフィンの融点が、パラフィンブロックのパラフィンの融点よりも低いパラフィンブロックの作成方法である。
【発明の効果】
【００２３】
本発明のパラフィンブロック作成用トレイによれば、識別可能な断面形状を有する柱状体により、検体を包埋するパラフィンブロックの中に、前記柱状体の抜け跡として該柱状体の断面形状からなる識別表示が形成される。かくして、パラフィンブロックをスライスすれば、薄切された検体を含むパラフィンの薄片の中に、柱状体の断面形状からなる識別表示が形成される。この結果、これを染色等の処理をして得られる標本は検体とともに識別表示を内包し不離一体であるため識別表示が分離することがなく、標本を取り違えるといったトラブルが解消される。
【００２４】
また、上記柱状体を着脱自在に取り付けることにより、被検者ごとに断面形状を異にする柱状体を取り替えるだけでよく、トレイは共通して使用することができる。
【００２５】
また、柱状体をトレイと一体的に取り付けることにより、柱状体ごとにトレイを準備する必要があるが、パラフィンブロック作成時に、被検者ごとに柱状体を取り替える手間が省けるので作業性が向上する。
【００２６】
また、識別可能な断面形状としては、文字、数字、記号、模様が好適である。
【００２７】
また、柱状体がトレイの底面に向かって拡大するテーパー状とすることにより、パラフィンが固化した後のトレイの除去が容易である。
【００２８】
また、トレイの上縁部を斜め又は垂直方向に立設することにより、実質的にパラフィンが滞留する水平部分がないので所謂バリ（パラフィンブロックに付着した余分のパラフィン部分）が発生しにくく、バリ取り作業が不要である。
【００２９】
また、パラフィンブロックからパラフィンブロック作成用トレイを取り外した後、柱状体を抜いてできた抜け跡に、パラフィンブロック本体に用いられるパラフィンと識別可能な固状物質を充填したり、液状物質を流し込み固化すれば、得られたパラフィンブロックをスライスする際に、識別表示が壊れないので明確に識別でき、標本を取り違えるといったトラブルが一層解消される。
【００３０】
また、液状物質としては、着色した液状パラフィンが好ましく、また、該着色液状パラフィンの融点を、パラフィンブロック本体に用いるパラフィンの融点よりも低くすれば、流し込んだ着色液状パラフィンの熱でパラフィンブロックが一部溶けたり、パラフィンブロックに熱を奪われて着色液状パラフィンの流動性が落ちて抜け跡に十分に行き渡らなかったりするトラブルが防止でき、識別表示が一層鮮明になる。
【図面の簡単な説明】
【００３１】
【図１】本発明のパラフィンブロック作成用トレイの一例を示すもので、（ａ）は断面図、（ｂ）は上面図である。
【図２】柱状体の断面形状の例を示す概略図である。
【図３】柱状体の他の断面形状の例を示す概略図である。
【図４】柱状体をトレイの底面に一体的に立設した例を示す概略断面図である。
【図５】柱状体をトレイの底面に着脱自在に立設した例を示す概略断面図である。
【図６】図１のパラフィンブロック作成用トレイを用いてパラフィンブロックを作成する状態を示す概略断面図である。
【図７】図６で得られるパラフィンブロックを示す概略断面図である。
【図８】図７のパラフィンブロックをスライスして得られる顕微鏡標本を示す上面図である。
【図９】図７のパラフィンブロックにおける柱状体の抜け跡に充填物を充填した状態を示す概略断面図である。
【図１０】図９のパラフィンブロックをスライスして得られる顕微鏡標本を示す上面図である。
【図１１】本発明のパラフィンブロック作成用トレイの他の例を示す概略断面図である。
【図１２】医療検査用カセットの一例を示す斜視図である。
【図１３】図１２の医療検査用カセットに検体を収容した状態を示す概略断面図である。
【図１４】従来のパラフィンブロック作成用トレイの一例を示す斜視図である。
【図１５】図１４のトレイを用いてパラフィンブロックを作成する状態を示す概略断面図である。
【図１６】図１５で得られるパラフィンブロックを示す概略断面図である。
【図１７】図１６のパラフィンブロックをスライスして得られる顕微鏡標本を示す上面図である。
【発明を実施するための形態】
【００３２】
本発明のパラフィンブロック作成用トレイ（以下、単にトレイと記す場合がある。）１の特徴は、図１（ａ）、（ｂ）に示すように、容器からなるパラフィン収容部２と、その周縁に設けられたカセット載置部３とからなり、検体をパラフィンで包埋したパラフィンブロックを作成するためのトレイであって、
前記トレイのパラフィン収容部２に、識別可能な断面形状を有する柱状体５を立設したことを特徴とする。図中、４は額縁部で、把持部の役割も果たす。
【００３３】
本発明において、柱状体５は識別可能な断面形状を有するもので、図１では断面形状として方形が示されているが、これに限定されず、識別（区別）可能な断面形状であればよい。例えば、図２、図３に示すように、○、△、×等の記号、Ａ、Ｂ、Ｃ（ａ、ｂ、ｃ）等のアルファベット、イ、ロ、ハ（い、ろ、は）等の片仮名や平仮名、１、２、３等の数字、星形、ハート、ダイヤ、クローバー等の模様のように、文字、数字、記号、模様等が挙げられる。
【００３４】
柱状体５は、トレイ１のパラフィン収容部２内に液状パラフィンを注ぎ入れた際に液状パラフィンを排除し、液状パラフィンが硬化した後に、柱状体５をトレイ１とともに取り外した際に、得られるパラフィンブロックに柱状体５の抜け跡として該柱状体５の断面形状からなる識別表示が形成されればよいので、中実体であっても中空体であってもよい。
【００３５】
柱状体５はトレイ１のパラフィン収容部２に立設されるが、トレイ１の底面に立設するのが好ましい。この場合、柱状体５は、例えば、図４に示すように、折り曲げ加工や溶接によりトレイ１と一体的に設けたり、また、必要に応じ、図５に示すように、フックやビス止めにより着脱自在に設けることもできる。
【００３６】
柱状体５をトレイ１と一体的に設けた場合は、識別が必要な被検者の数だけトレイを準備する必要があるが、パラフィンブロック作成の際に被検者ごとに柱状体を取り替える必要がないので作業性が向上する。一方、柱状体５を着脱自在に設けた場合は、パラフィンブロック作成の際に、被検者ごとに断面形状の異なる柱状体５に取り替える必要があるが、トレイは共通して使用できるので、例えば１個のトレイを準備するだけでも足りる。
【００３７】
柱状体５は、トレイ１のカセット載置部３よりも低く立設される。また、液状パラフィンが硬化した後にトレイ１とともに取り外されるため、取り外し易いように、トレイ１の底面に向かって拡大するテーパー状であることが好ましい。
【００３８】
トレイ１は方形等の容器からなるパラフィン収容部２と、その周縁に設けられたカセット載置部３とからなり、必要に応じ、額縁部４が設けられる。トレイ１の素材としては、ステンレス、銅、アルミ等の金属、ＡＢＳ樹脂、ＡＳ樹脂、ポリスチレン樹脂、ポリメチル（メタ）アクリレート樹脂、ポリアセタール樹脂、ポリアミド樹脂、ポリエステル樹脂、ポリカーボネート樹脂等の樹脂で作られるが、柱状体５もこれらと同じ素材又はこれらの組み合わせでよい。組み合わせの場合は、例えばトレイ１はステンレス、柱状体５は樹脂、又はトレイ１は樹脂、柱状体５はステンレスの組み合わせのいずれでもよい。
【００３９】
図６は、図１２に示したカセットＣと図１に示したトレイを用いてカセットブロックを作成する方法を示している。
即ち、背景技術で記載したのと同様にして、水洗、薬液処理等を施した検体Ｓをカセット本体Ｃ１からトレイ１のパラフィン収容部２に移し替え、トレイ１のカセット載置部３にカセット本体Ｃ１を載せ、カセット本体Ｃ１の上部まで液状パラフィンＰを注ぐ。
【００４０】
次いで、図７に示すように、液状パラフィンＰが固化した後、トレイ１を取り去るが、この時に柱状体５も一緒に取り外され、検体Ｓを包埋し、柱状体５の抜け跡として断面形状どおりの空間部６が形成されたパラフィンブロック７が得られる。
【００４１】
次いで、背景技術で記載した如く、ミクロトーム上にパラフィンブロックを裏返して固定し、検体Ｓを包埋し柱状体５の抜け跡である空間部６を含むパラフィンＰの部分をスライスすると、図８に示すように、検体Ｓと柱状体５の断面形状からなる識別表示６ａを包埋した薄片が得られ、染色等の処理を施すことにより顕微鏡標本Ｈが得られる。
【００４２】
ところで、柱状体５の抜け跡である空間部６は他の部分と比べて強度が低下しているので、パラフィンの硬度や温度によっては、パラフィンブロック７をスライスすると、抜け跡の部分が壊れて識別表示６ａとしての機能を果たせなくなる場合がある。
このような場合には、図９に示すように、柱状体を引き抜いてできた抜け跡に、パラフィンブロック本体のパラフィンと識別可能な充填物９を充填するのが好ましい。このようにすれば、抜け跡の部分が充填物で補強されるので、スライスの際にも識別表示６ａが壊れないので、検体の取り違えが一層好適に防がれる。
【００４３】
このような充填物としては、例えばクレヨン、クレパス、エラストマー、軟質樹脂等の固形状物質、冷却すれば固化する液状パラフィン、加硫剤と混合すれば固形状となる液状ゴム、架橋剤で固形状となる液状エラストマー等の液状物質が挙げられる。抜け跡への充填性からは、液状物質が好ましい。液状パラフィンを使用する場合は、着色した液状パラフィンを用いると、パラフィンブロック本体のパラフィンと容易に識別することができる。
【００４４】
液状パラフィンを着色する方法は特に限定されないが、適切な染料や顔料をパラフィンに混入する方法が例示できる。尚、パラフィンブロック７には、通常の場合、白色パラフィンが使用されるので、着色液状パラフィンの色はこの白色パラフィンと比較したコントラストが高くなるようにしたほうが識別表示６ａが見やすくなる。このため、明度は低く彩度が高くなるように染料、顔料を選択するのが好ましい。
【００４５】
尚、充填物９として融点が高いパラフィンを着色液状パラフィンとして用いれば、適切な流動性を確保するためにパラフィンを高温にする必要が生じるため、着色液状パラフィンの熱でパラフィンブロック７の抜け跡が一部溶けてしまい、識別表示６ａがやや不鮮明になる場合がある。また、パラフィンブロック７が溶けるのを防ぐために着色液状パラフィンの温度を低くすれば、着色液状パラフィンの流動性が不足するため抜け跡の隅々まで行き渡らない場合がある。このような不都合を防ぐため、着色液状パラフィンに使用するパラフィンとしては、融点がパラフィンブロック本体に用いるパラフィンと同程度かやや低いパラフィン、好ましくは、５℃以上低いパラフィンが用いられる。
【００４６】
得られた顕微鏡標本Ｈは、検体Ｓと柱状体５の断面形状からなる識別表示６ａとは不離一体であり、互いに分離することがないので、他の識別表示を有する顕微鏡標本と取り違えることはない。
【００４７】
尚、上記トレイ１はカセット載置部３や上縁の額縁部４が水平状であるので、図６に示すように、この水平状の部分でパラフィンＰが盛り上がった状態で固化するため、図７に示すように、この部分がバリ８となってパラフィンブロック７に残留する。このバリ８は、パラフィンブロック７をアダプターに係合しミクロトーム上に固定する際に支障を来すのでカッター等で削り取る必要があり、作業性を低下させる。
【００４８】
このようなバリ８の発生を防止するには、図１１に示すように、トレイ１の上縁部を斜め又は垂直方向立設してカセット載置部３としたトレイが、バリ８の発生を引き起こす水平状部分が存在しないので好適である。この場合、このトレイ１のカセット載置部３である上縁部にカセット本体Ｃ１を載置するだけでもよいが、図示したように、底部裏側に、トレイ１の上縁部と嵌合する溝を設けたカセット本体Ｃ１を使用すれば、液状パラフィンはカセット本体Ｃ１の溝に嵌合したトレイ１の上縁部により外部への流出が遮断されるのでバリ８の発生が防止される。
【産業上の利用可能性】
【００４９】
叙上のとおり、本発明のパラフィンブロック作成用トレイによれば、検体と不離一体の識別表示を含む顕微鏡標本が得られるので、顕微鏡標本を取り違えるといった深刻なトラブルが防止され、検体の信頼性が向上する。
【符号の説明】
【００５０】
１  パラフィンブロック作成用トレイ
２  パラフィン収容部
３  カセット載置部
４  額縁部
５  柱状体
６  空間部
６ａ  識別表示
７  パラフィンブロック
８  バリ
９  充填物
Ｓ  検体
Ｈ  顕微鏡標本
Ｃ  医療検査用カセット
Ｃ１  カセット本体
Ｃ１ａ  記録部
Ｃ２  蓋体
Ｃ３  透孔
Ｔ  従来のトレイ
Ｔ１  額縁部
Ｔ２  カセット載置部
Ｐ  パラフィン
Ｂ  パラフィンブロック
【図１】
2015127698.tif 000003
【図２】
2015127698.tif 000004
【図３】
2015127698.tif 000005
【図４】
2015127698.tif 000006
【図５】
2015127698.tif 000007
【図６】
2015127698.tif 000008
【図７】
2015127698.tif 000009
【図８】
2015127698.tif 000010
【図９】
2015127698.tif 000011
【図１０】
2015127698.tif 000012
【図１１】
2015127698.tif 000013
【図１２】
2015127698.tif 000014
【図１３】
2015127698.tif 000015
【図１４】
2015127698.tif 000016
【図１５】
2015127698.tif 000017
【図１６】
2015127698.tif 000018
【図１７】
2015127698.tif 000019